(57)【要約】【課題】光記録媒体と対物レンズとの損傷を抑制可能であって、低コストで製造できる光ピックアップ用レンズホルダを提供する。【解決手段】光ピックアップ用レンズホルダ２２は、対物レンズ６を保持するための対物レンズ保持部２７と、光記録媒体と対物レンズ６との衝突を防止するプロテクタ２８ａ、２８ｂと、を備える。また、レンズホルダ２２には、プロテクタ２８ａ、２８ｂが載置されるプロテクタ載置面３４が設けられ、プロテクタ載置面３４は、その一部の領域に、外部に向かって突出する突出部３４ａを有し、プロテクタ載置面３４に載置された樹脂シートから成るプロテクタ２８ａ、２８ｂは、その外周部を除く一部が、突出部３４ａに沿って突出する。【選択図】図５
2009015934.tif 000002
【特許請求の範囲】
【請求項１】
光ビームを光記録媒体の記録面に集光するための対物レンズを保持する保持部と、
前記光記録媒体と前記対物レンズとの衝突を防止するプロテクタと、
を備える光ピックアップ用レンズホルダにおいて、
前記プロテクタが載置されるプロテクタ載置面が設けられ、
前記プロテクタ載置面は、その一部の領域に、外部に向かって突出する突出部を有し、
前記プロテクタ載置面に載置された樹脂シートから成る前記プロテクタは、その外周部を除く一部が、前記突出部に沿って突出することを特徴とする光ピックアップ用レンズホルダ。
【請求項２】
前記突出部は、前記プロテクタ載置面が有する略球面部分であることを特徴とする請求項１に記載の光ピックアップ用レンズホルダ。
【請求項３】
前記突出部は、前記プロテクタ載置面が段差面を有することによって形成されることを特徴とする請求項１に記載の光ピックアップ用レンズホルダ。
【請求項４】
前記突出部は、前記プロテクタ載置面を形成する他の部分と一体的に形成されることを特徴とする請求項１から３のいずれかに記載の光ピックアップ用レンズホルダ。
【請求項５】
前記プロテクタは、前記保持部を挟んで略対称な位置に配置されることを特徴とする請求項１から４のいずれかに記載の光ピックアップ用レンズホルダ。
【請求項６】
光源と、
前記光源から出射される光ビームを光記録媒体の記録面に集光する対物レンズと、
請求項１から５のいずれかに記載の光ピックアップ用レンズホルダと、
を備えることを特徴とする光ピックアップ。
【発明の詳細な説明】
【技術分野】
【０００１】
本発明は、光ピックアップに備えられる対物レンズを保持する光ピックアップ用レンズホルダに関し、より詳細には、対物レンズと光記録媒体との衝突を防止するプロテクタを有する光ピックアップ用レンズホルダに関する。また、本発明は前述の光ピックアップ用レンズホルダを備える光ピックアップに関する。
【背景技術】
【０００２】
コンパクトディスク（以下、ＣＤという。）やデジタル多用途ディスク（以下、ＤＶＤという。）といった光記録媒体が普及している。更に、最近では、光記録媒体の情報量を更に増やすために光記録媒体の高密度化に関する研究が進められ、例えば、高品位のＤＶＤであるＨＤ−ＤＶＤやブルーレイディスク（以下、ＢＤという。）といった高密度化された光記録媒体も実用化されてきている。
【０００３】
このような光記録媒体を光ディスク装置で記録再生を行うにあたっては、光記録媒体に光ビームを照射して情報の書き込みや情報の読み取りを可能とする光ピックアップが用いられる。光ピックアップにおいては、光記録媒体の面振れ等によらず、光源から出射される光ビームの焦点が常に光記録媒体の記録面に合うように、対物レンズアクチュエータにより、レンズホルダに保持された対物レンズの位置を移動することによって、対物レンズと光記録媒体との位置関係を一定に制御する。以下、このような制御をフォーカスサーボと表現することがある。
【０００４】
ところで、光ピックアップで上述した情報量が高密度化された光記録媒体（例えばＢＤ）に対応する場合、光源から出射される光ビームが光記録媒体上に形成する光スポットのスポットサイズを小さくする必要がある。光スポットのスポットサイズを小さくする方法としては、光ビームを出射する光源の波長を短くするとともに、対物レンズの開口数を大きくすることが通常行われる。
【０００５】
しかし、このように対物レンズの開口数を大きくすると、光ピックアップにより光記録媒体の情報の記録や情報の読み取りを行う際の対物レンズ先端と光記録媒体との間隔（ワーキングディスタンス；ＷＤ）が狭くなる。このＷＤが狭くなる傾向は、例えばＢＤに対応する光ピックアップにおいて顕著である。そして、このようにＷＤが非常に狭くなると、例えば、面ぶれが大きい光記録媒体を用いた場合や、光記録媒体上の傷や外部からの振動等によりフォーカスサーボが外れた場合等に、対物レンズと光記録媒体とが衝突する可能性が非常に高くなる。
【０００６】
なお、ＷＤが狭くなる状況は、ＢＤに対応する光ピックアップに限られるわけではなく、例えばＣＤやＤＶＤ等の光記録媒体に対応する光ピックアップにおいても起こる場合がある。すなわち、ノートパソコン等においては、薄型化が要求されるために、光ピックアップに備えられる対物レンズは小径のレンズであり、このような場合にもＷＤが狭くなる。そして、このような場合にも、対物レンズと光記録媒体とが衝突する可能性が非常に高くなる。
【０００７】
このようなことから、従来、対物レンズと光記録媒体の衝突によって、光記録媒体に記録される情報が使えなくなったり、対物レンズが損傷して光ピックアップ装置が使用できなくなったりするのを防止するために、衝突防止用のプロテクタを、対物レンズを保持するレンズホルダに設けることが行われている（例えば、特許文献１〜４参照）。
【０００８】
そして、近年においては、高さ公差に優れているとともに層厚を薄くできる等の利点を有するために、特許文献１に示されるような、コーティング層をレンズホルダの最上部に設けてプロテクタ部を形成する構成が、採用される傾向にある。
【特許文献１】特開２００７−１８６３２号公報
【特許文献２】特開２００６−３３８７８３号公報
【特許文献３】特開２００６−１２０２４６号公報
【特許文献４】特開２００１−３１９３５５号公報
【発明の開示】
【発明が解決しようとする課題】
【０００９】
しかしながら、コーティング層をレンズホルダの最上部に設けてプロテクタ部を形成する構成の場合、コーティング層を設けるために使用されるコート剤のコストが非常に高いために、対物レンズアクチュエータや光ピックアップ装置の製造コストが上昇するといった問題がある。
【００１０】
このようなことから、低コスト化を念頭において、厚みを薄く形成できる樹脂シートを対物レンズと光記録媒体との衝突を防止するプロテクタとして使用することが考えられる。しかし、樹脂シートをプロテクタとして使用する場合には、樹脂シートの外周部に発生するバリ等のために、プロテクタと光記録媒体とが衝突した場合に、光記録媒体の表面に傷（例えば、筋状の傷等）が発生する場合がある。そして、光記録媒体の表面に傷が発生すると、光記録媒体の再生や記録ができない場合も生じる。
【００１１】
以上の問題点に鑑み、本発明の目的は、光記録媒体と対物レンズとの損傷を抑制可能であって、低コストで製造できる光ピックアップ用レンズホルダを提供することである。また、本発明の他の目的は、そのような光ピックアップ用レンズホルダを備えることにより、使用時に光記録媒体及び対物レンズが損傷する可能性が低く、低コストで製造できる光ピックアップを提供することである。
【課題を解決するための手段】
【００１２】
上記目的を達成するために本発明は、光ビームを光記録媒体の記録面に集光するための対物レンズを保持する保持部と、前記光記録媒体と前記対物レンズとの衝突を防止するプロテクタと、を備える光ピックアップ用レンズホルダにおいて、前記プロテクタが載置されるプロテクタ載置面が設けられ、前記プロテクタ載置面は、その一部の領域に、外部に向かって突出する突出部を有し、前記プロテクタ載置面に載置された樹脂シートから成る前記プロテクタは、その外周部を除く一部が、前記突出部に沿って突出することを特徴としている。
【００１３】
これによれば、光記録媒体と対物レンズとの衝突を防止するプロテクタが載置されるプロテクタ載置面は、外部に向かって突出する突出部を有し、プロテクタ載置面に載置された樹脂シートから成るプロテクタは、その外周部を除く一部が、前記突出部に沿って突出する構成となっている。このために、プロテクタを樹脂シートで形成し、その外周部にバリ等が生じていても、プロテクタと光記録媒体との衝突時にバリ等が光記録媒体と接触する可能性を低減でき、プロテクタと光記録媒体との接触による光記録媒体の損傷を抑制できる。そして、プロテクタとして樹脂シートを用いる構成であるために、プロテクタとしてコーティング層を形成する場合に比べて、光記録媒体と対物レンズとの損傷を抑制できる光ピックアップ用レンズホルダを安価に製造できる。更に、プロテクタとして樹脂シートを用いるために、ＷＤが狭い光ピックアップにも対応し易い。
【００１４】
また、本発明は、上記構成の光ピックアップ用レンズホルダにおいて、前記突出部は、前記プロテクタ載置面が有する略球面部分であることとしても良いし、前記プロテクタ載置面が段差面を有することによって形成されることとしても良い。どちらの場合でも、光記録媒体と対物レンズの損傷を抑制可能であって、低コストで製造できる光ピックアップ用レンズホルダを実現し易い。
【００１５】
また、本発明は、上記構成の光ピックアップ用レンズホルダにおいて、前記突出部は、前記プロテクタ載置面を形成する他の部分と一体的に形成されることとするのが好ましい。これによれば、突出部を有するプロテクタ載置面を備える光ピックアップ用レンズホルダを作業効率良く得ることが可能となる。
【００１６】
また、本発明は、上記構成の光ピックアップ用レンズホルダにおいて、前記プロテクタは、前記保持部を挟んで略対称な位置に配置されることとしても良い。これによれば、保持部を挟んで略対称な位置に形成されるプロテクタによって、光記録媒体と対物レンズとが衝突するのを防止する構成となっている。従って、プロテクタの衝突防止機能を効果的に発揮でき、光記録媒体と対物レンズとが損傷する可能性を更に低いものとできる。
【００１７】
また、上記目的を達成するために本発明は、光源と、前記光源から出射される光ビームを光記録媒体の記録面に集光する対物レンズと、上記構成の光ピックアップ用レンズホルダと、を備える光ピックアップであることを特徴としている。
【００１８】
これによれば、光ピックアップ使用時に光記録媒体及び対物レンズが損傷する可能性を抑制できる。また、光記録媒体と対物レンズとの衝突を防止するプロテクタを低コストとできる。従って、光記録媒体と対物レンズとが損傷する可能性が低い光ピックアップを低コストで製造できる。
【発明の効果】
【００１９】
本発明によれば、光記録媒体と対物レンズとの損傷を抑制可能であって、低コストで製造できる光ピックアップ用レンズホルダを提供できる。また、本発明の光ピックアップ用レンズホルダは、ＷＤが狭い光ピックアップにも対応し易い。また、本発明によれば、使用時に光記録媒体及び対物レンズが損傷する可能性が低く、低コストで製造できる光ピックアップを提供できる。
【発明を実施するための最良の形態】
【００２０】
以下に本発明の実施形態を、図面を参照しながら説明する。なお、ここで示す実施形態は一例であり、本発明はここに示す実施形態に限定されるものではない。
【００２１】
まず、本発明の光ピックアップ用レンズホルダを備える光ピックアップの実施形態について、図１及び図２を参照しながら説明する。図１は、本実施形態の光ピックアップの構成を示す概略平面図である。また、図２は、本実施形態の光ピックアップの光学系の構成を示す概略図である。
【００２２】
光ピックアップ１は、光ディスク（光記録媒体）５０に対して、レーザ光を照射して情報の読み取り及び書き込みを行うことが可能な装置である。この光ピックアップ１は、光ディスク装置に搭載される場合においては、図１に示すように、光ディスク装置内に設けられる２本のガイドレール１０に摺動可能に支持される。そして、光ピックアップ１は、光ディスク５０の半径方向（ラジアル方向）と平行な方向に延びるガイドレール１０に沿って、図示しない駆動手段によって移動されて、光ディスク５０に記録される情報の読み取りや、光ディスク５０への情報の書き込みを行う。
【００２３】
図２に示すように、光ピックアップ１が備える光学系には、光源２と、ビームスプリッタ３と、コリメートレンズ４と、立ち上げミラー５と、対物レンズ６と、光検出器７と、を備える。なお、必要に応じて、例えば、光源２から出射された光ビームを３ビームとする回折格子や、球面収差やコマ収差等の波面収差の補正を行う波面収差補正素子等、他の光学部材が適当な位置に配置される。
【００２４】
光源２は、単一の波長を出射する半導体レーザである。光源２から出射されるレーザ光の波長は、光ピックアップ１によって情報の読み取りや書き込みを行う光ディスク５０の種類によって決められる。すなわち、例えば光ピックアップ１がＢＤに対応する場合には波長４０５ｎｍ帯のレーザ光が、ＤＶＤに対応する場合には波長６５０ｎｍ帯のレーザ光が、ＣＤに対応する場合には波長７８０ｎｍ帯のレーザ光が出射されるように形成される。
【００２５】
ビームスプリッタ３は、光源２から出射されたレーザ光を透過して光ディスク５０へと導くとともに、光ディスク５０からの戻り光を反射して光検出器７へと導く機能も有する。光源２から出射され、ビームスプリッタ３を透過したレーザ光は、コリメートレンズ４で平行光に変換され、立ち上げミラー５で反射されて光ディスク５０のディスク面と略垂直の方向とされる。立ち上げミラー５で反射されたレーザ光は、対物レンズ６へと送られ、対物レンズ６によって、光ディスク５０の記録面５０ａに集光される。
【００２６】
光ディスク５０の記録面５０ａに集光されたレーザ光は、記録面５０ａで反射される。記録面５０ａで反射された戻り光は、対物レンズ６を透過し、立ち上げミラー５で反射され、コリメートレンズ４を透過後、ビームスプリッタ３によって反射されて光検出器７の受光領域（図示しない）に集光される。
【００２７】
光検出器７は、受光領域で受光した光信号を電気信号へと変換する機能を有する。光検出器７から出力された電気信号は処理されて情報を再生するための再生信号や、対物レンズ６のフォーカス調整やトラッキング調整を行うために用いられるフォーカスエラー信号やトラッキングエラー信号等とされる。ここで、フォーカス調整とは、対物レンズ６の焦点位置が常に光ディスク５０の記録面５０ａに合うように行う調整のことである。また、トラッキング調整とは、記録面５０ａに形成されるビームスポットの位置が常に光ディスク５０に形成されるトラックに追従するように行う調整のことである。
【００２８】
なお、光ピックアップ１が備える対物レンズ６はレンズホルダ２２（図１参照）に保持され、その詳細は後述する対物レンズアクチュエータ２０によって、フォーカス方向とトラッキング方向とに移動可能とされている。これにより、上述のフォーカス調整やトラッキング調整が行えるようになっている。
【００２９】
次に、本実施形態の対物レンズアクチュエータ２０の全体構成について、図３及び図４を参照しながら説明する。ここで、図３は、本実施形態の対物レンズアクチュエータ２０の構成を示す概略平面図である。また、図４は、本実施形態の対物レンズアクチュエータ２０の構成を示す概略側面図である。
【００３０】
対物レンズアクチュエータ２０は、大きくは、ベース２１と、レンズホルダ２２と、で構成される。
【００３１】
ベース２１は、強磁性を有する金属から成り、そのほぼ中央にはレーザ光を通過させる貫通孔（図示せず）が形成されている。そして、この貫通孔の上に、その詳細は後述するレンズホルダ２２が配置される。また、ベース２１上には、レンズホルダ２２を挟むように所定間隔をあけて対向配置される一対の永久磁石２３ａ、２３ｂが立設されている。
【００３２】
永久磁石２３ａ、２３ｂは、同一の極が向かい合うように配置される。本実施形態では、永久磁石２３ａ、２３ｂは、Ｎ極が向かい合うように配置されている。また、永久磁石２３ａ、２３ｂは、それぞれの外面がベース２１から折曲形成された突片２１ａ、２１ｂに着磁された状態となっている。
【００３３】
更にベース２１には、永久磁石２３ａ、２３ｂの間に挟まれて、永久磁石２３ａ、２３ｂと同様の方向で対向配置される一対のヨーク２４ａ、２４ｂが立設されている。これらのヨーク２４ａ、２４ｂは、ベース２１から折曲形成されて成る。ヨーク２４ａ、２４ｂは、それぞれ永久磁石２３ａ、２３ｂから磁束を有効に引き込んで、主として、両者の間に配置される後述のフォーカスコイル２５及びトラッキングコイル２６ａ〜２７ｄに高密度の磁束を与える。すなわち、ヨーク２４ａ、２４ｂは、レンズホルダ２２の駆動効率を高める役割を担う。
【００３４】
レンズホルダ２２は、レーザ光が通過できるように、その中央部に図３における紙面方向に延びる光路孔（図示せず）が形成され、空洞の上部側には対物レンズ６を保持する対物レンズ保持部２７が形成される。なお、対物レンズ保持部２７に保持される対物レンズ６は、その光軸が図３における紙面方向と平行となるように搭載される。また、レンズホルダ２２には、上述のヨーク２４ａ、２４ｂが貫通できるように空洞部２９ａ、２９ｂが形成されている。
【００３５】
レンズホルダ２２の外側の側壁には、レンズホルダ２２に搭載される対物レンズ６の光軸を取り巻くようにフォーカスコイル２５が設けられ、レンズホルダ２２に対して接着剤等で固着されている。また、レンズホルダ２２の側壁のうち、各永久磁石２３ａ、２３ｂと対向する両側壁の外側には、トラッキングコイル２６ａ〜２６ｄが、それぞれ左右に一対ずつ対向するように設けられ、レンズホルダ２２に対して接着剤等で固着されている。なお、４つのトラッキングコイル２６ａ〜２６ｄは、全体として１本の線で繋がっている。
【００３６】
また、レンズホルダ２２には、光ディスク５０と対物レンズ６との衝突を防止するために、対物レンズ保持部２７（対物レンズ６）を挟んで略対称な位置に２つのプロテクタ２８ａ、２８ｂが設けられている。このプロテクタ２８ａ、２８ｂの詳細については後述する。
【００３７】
ベース２１上には、２つの永久磁石２３ａ、２３ｂうち、一方の永久磁石２３ｂが磁着された突片２１ｂの外面側に、ポリカーボネート等の樹脂成型品から成るゲルホルダ３０が固定される。また、ベース２１上には、ゲルホルダ３０の外側に隣接して回路基板３３が立設されている。
【００３８】
この回路基板３３には、左右両側において、それぞれ上下方向に２箇所ずつ、導電性を有するワイヤ３１ａ、３１ｂ、３１ｃ、３１ｄの各一端がハンダ付けにて接続されている。これらの４本の各ワイヤ３１ａ〜３１ｄは、回路基板３３への接続箇所に対応した位置、すなわち左右両側においてそれぞれ上下方向に２箇所ずつゲルホルダ３０に形成された貫通孔３２ａ、３２ｂ、３２ｃ、３２ｄを挿通している。
【００３９】
そして、上段の各ワイヤ３１ａ、３１ｃの他端は、レンズホルダ２２に設けられるワイヤ支持部２２ａ、２２ｃにおいて、フォーカスコイル２５とハンダ付けにて電気的に接続された状態で固定される。また、下段のワイヤ３１ｂ、３１ｄの他端は、レンズホルダ２２に設けられるワイヤ支持部２２ｂ、２２ｄにおいて、トラッキングコイル２６ａ〜２６ｄとハンダ付けにて電気的に接続された状態で固定される。そして、これにより、レンズホルダ２２は、各ワイヤ３１ａ〜３１ｄによってベース２１に対して揺動可能に支持される。
【００４０】
また、各ワイヤ３１ａ〜３１ｄが挿通されたゲルホルダ３０の各貫通孔３２ａ〜３２ｄ内には、シリコンを主成分とするゲル材が充填されている。ここでゲル材は、低粘度のゲル材（ゾル）がゲルホルダ３０の各貫通孔３２ａ〜３２ｄに注入された後、所定時間の紫外線照射によってゲル状に硬化したものである。そして、このゲルホルダ３０は、レンズホルダ２２の駆動に応じて各ワイヤ３１ａ〜３１ｄに生じた振動をゲル材によって減衰し、抑制する役目を果たす。
【００４１】
このように構成される対物レンズアクチュエータ２０の作用について簡単に説明しておく。回路基板３３からワイヤ３１ａ、３１ｃを通じてフォーカスコイル２５に電流が供給されると、ベース２１、永久磁石２３ａ、２３ｂ及びヨーク２４ａ、２４ｂによって形成される磁気回路との電磁気的な作用（電磁力作用）により、レンズホルダ２２はフォーカス方向に変位可能となる。このため、フォーカスコイル２５に供給する電流の大きさ及び向きを調整することで対物レンズ６のフォーカス方向の調整（フォーカス調整）が可能となる。
【００４２】
また、回路基板３３からワイヤ３１ｂ、３１ｄを通じてトラッキングコイル２６ａ〜２６ｄに電流が供給されると、ベース２１、永久磁石２３ａ、２３ｂ及びヨーク２４ａ、２４ｂによって形成される磁気回路との電磁気的な作用（電磁力作用）により、レンズホルダ２２は、トラッキング方向に変位可能となる。このため、トラッキングコイル２６ａ〜２６ｄに供給する電流の大きさ及び向きを調整することで対物レンズ６のトラッキング方向の調整（トラッキング調整）が可能となる。
【００４３】
なお、本実施形態においては、ワイヤの数を片側２本ずつの計４本で保持する構成としているが、これに限定されず、例えばワイヤの数を片側３本ずつの計６本で保持する構成等としても構わない。また、本実施形態では、レンズホルダ２２は、フォーカス方向及びトラッキング方向に移動可能となっているが、例えば、フォーカス方向とトラッキング方向とに直交する軸の軸周り方向に回転する等の構成としても構わない。この場合には、本実施形態に示したフォーカスコイル及びトラッキングコイルとは異なるコイル（チルトコイル）を設ける必要がある。そして、この場合には、チルトコイルに電流を供給する構成が必要と成り、例えばワイヤの数を片側３本ずつの計６本とすることで、チルトコイルへの給電が可能となる。
【００４４】
次に、光ディスク５０と対物レンズ６の衝突を防止するために、レンズホルダ２２に設けられるプロテクタ２８ａ、２８ｂについて、主に図５を参照しながら詳細に説明する。なお、図５は、図３のＡ−Ａ位置における断面図であり、図５（ａ）においては、プロテクタ２８ａ、２８ｂがレンズホルダ２２の取り付けられていない状態を示し、図５（ｂ）においては、プロテクタ２８ａ、２８ｂがレンズホルダ２２に取り付けられた状態を示している。
【００４５】
レンズホルダ２２に取り付けられるプロテクタ２８ａ、２８ｂは、図５（ａ）に示すように、シート状の樹脂（樹脂シート）から成る。プロテクタ２８ａ、２８ｂを構成する樹脂シートの材質としては、例えば、超高分子量ポリエチレン、ＰＯＭ（ポリアセタール）、ナイロン等が挙げられる。ただし、これらに限定される趣旨ではなく、光ディスク５０と衝突した時に光ディスク５０に損傷を与え難い材質の樹脂から適宜選択される。
【００４６】
レンズホルダ２２には、プロテクタ２８ａ、２８ｂを載置するためのプロテクタ載置面３４が、対物レンズ保持部２７を挟むように２箇所に設けられている。このプロクテク載置面３４は、図５（ａ）に示すように、その一部の領域に、外部に向かって（光ディスク５０が配置される側に向かって）突出する突出部３４ａを有している。本実施形態においては、突出部３４ａは、プロテクタ載置面３４が有する略球面部分である。
【００４７】
なお、本実施形態においては、プロテクタ載置面３４が有する突出部３４ａは、プロテクタ載置面３４を形成する他の部分と一体的に形成されている。しかし、この構成に限定される趣旨ではなく、例えば、略半球形状の部材を別途準備し、これをレンズホルダ２２に形成される平面上に配置し、本実施形態で示すようなプロテクタ載置面を形成するようにしても構わない。
【００４８】
また、本実施形態では、プロテクタ載置面３４は例えば液晶ポリマ（ＬＣＤ）で形成されるレンズホルダ２２本体と一体的に形成されている。しかし、この構成に限定されず、例えば、本実施形態のようなプロテクタ載置面が形成された部材を別途準備し、これをレンズホルダ２２に取り付けるようにしても構わない。
【００４９】
樹脂シートから成るプロテクタ２８ａ、２８ｂは、その裏面側（光ディスク５０と衝突しない側）に接着層４１（図５（ａ）参照）が設けられており、これによって、プロテクタ２８ａ、２８ｂはプロテクタ載置面３４に接合される。プロテクタ２８ａ、２８ｂは、肉厚の薄い樹脂シートから成るために、プロテクタ載置面３４に接合された場合に、図５（ｂ）に示すように突出部３４ａに沿ってその一部が突出する。
【００５０】
そして、図５（ｂ）に示すように、プロテクタ２８ａ、２８ｂの最も高くなる部分が、対物レンズ６の最も高くなる部分よりも所定の高さｄだけ高くなるように形成されている。また、本実施形態においては、図３に示すように、プロテクタ２８ａ、２８ｂが突出する位置は、プロテクタ２８ａ、２８ｂの略中央部分となっている。
【００５１】
このようにレンズホルダ２２にプロテクタ２８ａ、２８ｂを設けることにより、光ディスク５０と対物レンズ６との衝突を防止できる。更に、光ディスク５０とプロテクタ２８ａ、２８ｂとが衝突する場合にも、樹脂シートから成るプロテクタ２８ａ、２８ｂの外周部と光ディスク５０とが接触しないようにできる。このため、プロテクタ２８ａ、２８ｂの外周部に発生するバリによって光ディスク５０が損傷しないようにできる。もちろん、プロテクタ載置面３４が有する突出部３４ａの突出量は、プロテクタ２８ａ、２８ｂの外周に生じるバリの大きさ（高さ）を考慮して決定する必要がある。
【００５２】
なお、本実施形態においては、プロテクタ載置面３４が略球面を有するように設け、この略球面部分を、プロテクタ載置面３４が有する突出部３４ａとした。しかし、プロテクタ載置面３４が突出部を有する構成は、これに限定される趣旨ではなく、本発明の目的を逸脱しない範囲で種々の変更が可能である。以下に、他の実施形態について、図６及び図７を参照しながら説明する。
【００５３】
ここで、図６は、光ピックアップ用レンズホルダの別実施形態の構成を示す概略平面図である。図７は、図６のＢ−Ｂ位置における断面図であり、図７（ａ）においては、プロテクタ２８ａ、２８ｂがレンズホルダ２２の取り付けられていない状態を示し、図７（ｂ）においては、プロテクタ２８ａ、２８ｂがレンズホルダ２２に取り付けられた状態を示している。
【００５４】
レンズホルダ２２に取り付けられるプロテクタ２８ａ、２８ｂは、樹脂シートから成る。そして、プロテクタ２８ａ、２８ｂは、レンズホルダ２２に対物レンズ保持部２７を挟むように設けられる２つのプロテクタ載置面３４に各々接合される。プロテクタ載置面３４は、図７（ａ）に示すように、その一部の領域に、外部に向かって突出する突出部３４ａを有している。そして、この突出部３４ａは、プロテクタ載置面３４が段差面ＤＳを有することによって形成されている。
【００５５】
この場合においても、プロテクタ載置面３４に接合されたプロテクタ２８ａ、２８ｂは、肉厚の薄い樹脂シートから成るために、図７（ｂ）に示すように突出部３４ａに沿ってその一部が突出する。そして、図７（ｂ）に示すように、プロテクタ２８ａ、２８ｂの最も高くなる部分が、対物レンズ６の最も高くなる部分よりも所定の高さｄだけ高くなるように形成されている。また、本実施形態においては、図６に示すように、プロテクタ２８ａ、２８ｂが突出する位置は、プロテクタ２８ａ、２８ｂの略中央部分となっている。
【００５６】
このように構成した場合にも、プロテクタ２８ａ、２８ｂの存在により、光ディスク５０と対物レンズ６との衝突を防止でき、更に光ディスク５０とプロテクタ２８ａ、２８ｂとが衝突する場合にも、樹脂シートから成るプロテクタ２８ａ、２８ｂの外周部と光ディスク５０とが接触しないようにできる。このため、プロテクタ２８ａ、２８ｂの外周部に発生するバリによって光ディスク５０が損傷しない構成を実現できる。
【００５７】
以上に示した実施形態においては、プロテクタ２８ａ、２８ｂが突出する位置は、プロテクタ２８ａ、２８ｂの略中央部分としたが、これに限定される趣旨ではない。すなわち、プロテクタ２８ａ、２８ｂの外周部と光ディスク５０とが接触しないように、プロテクタ２８ａ、２８ｂの外周部を除く一部が外部に突出するように構成すれば良い。また、各プロテクタ２８ａ、２８ｂが突出する位置は、複数あっても構わない。
【００５８】
また、以上に示した実施形態においては、プロテクタ２８ａ、２８ｂが配置される位置を、対物レンズ保持部２７を挟んで略対称な位置とした。しかし、これに限定される趣旨ではなく、光ディスク５０と対物レンズ６とが衝突しないように配置されれば良く、その数及び配置は適宜変更可能である。
【００５９】
更に、以上に示した実施形態においては、レンズホルダ２２がワイヤに支持され、このワイヤの揺動によってレンズホルダ２２が移動される構成（ワイヤ支持方式の対物レンズアクチュエータに搭載される構成）について示した。しかし、本発明のレンズホルダは、これ以外の構成で移動される場合にも、もちろん適用可能である。すなわち、例えば、レンズホルダを支軸に対して摺動させることによって、レンズホルダを移動させる構成（いわゆる軸摺動方式の対物レンズアクチュエータに搭載される構成）等の場合にも、本発明は適用できる。
【００６０】
その他、以上においては、光ピックアップは、一種類の光ディスクに対応するものを示したが、当然、複数種類を互換する光ピックアップ（このようなものには、複数の対物レンズを搭載するレンズホルダを備えるものも含む）に対しても、本発明のレンズホルダは適用可能である。
【産業上の利用可能性】
【００６１】
本発明によれば、光記録媒体及び対物レンズの損傷を抑制可能な光ピックアップ用レンズホルダを安価に提供できる。従って、光ピックアップの分野において有用である。
【図面の簡単な説明】
【００６２】
【図１】は、本実施形態の光ピックアップの構成を示す概略平面図である。
【図２】は、本実施形態の光ピックアップの光学系の構成を示す概略図である。
【図３】は、本実施形態の対物レンズアクチュエータの構成を示す概略平面図である。
【図４】は、本実施形態の対物レンズアクチュエータの構成を示す概略側面図である。
【図５】は、図３のＡ−Ａ位置における断面図である。
【図６】は、光ピックアップ用レンズホルダの別実施形態の構成を示す概略平面図である。
【図７】は、図６のＢ−Ｂ位置における断面図である。
【符号の説明】
【００６３】
１              光ピックアップ
２              光源
６              対物レンズ
２２            レンズホルダ（光ピックアップ用レンズホルダ）
２７            対物レンズ保持部
２８ａ、２８ｂ  プロテクタ
３４            プロテクタ載置面
３４ａ          突出部
５０            光ディスク（光記録媒体）
５０ａ          記録面
ＤＳ            段差面
【図１】
2009015934.tif 000003
【図２】
2009015934.tif 000004
【図５】
2009015934.tif 000005
【図６】
2009015934.tif 000006
【図７】
2009015934.tif 000007
【図３】
2009015934.tif 000008
【図４】
2009015934.tif 000009